(57)【特許請求の範囲】
【請求項１】
楽器用ティルターであって、
ティルター本体と、
前記ティルター本体に組み付けられ、ロッドを保持するホルダと、
前記ホルダに前記ロッドを保持する保持部材とを備え、
前記ティルター本体は、第１軸線に沿って延びる構造体に取り付けられると共に、前記第１軸線周りに回動可能に構成され、
前記ホルダは、前記第１軸線と直交する第２軸線周りに回動可能に組み付けられ、
前記ホルダは、前記ロッドを、前記ロッドの軸線である第３軸線周りに回動可能にかつ前記第３軸線に沿って摺動可能に保持し、
前記保持部材により、前記ホルダが前記ティルター本体に組み付けられると共に、前記ティルター本体が前記構造体に取り付けられ、
前記保持部材は、ボルトと、前記ボルトに螺着されたナットとからなり、
前記ティルター本体は、第１クランプと、前記第１クランプに連結される第２クランプとを備え、
前記第１及び第２クランプには、前記ボルトの軸部が挿通される挿通孔が設けられ、
前記ナットを締め付けると、前記第１及び第２クランプにより前記構造体が挟持されて前記ティルター本体が前記構造体に固定され、
前記ナットを緩めると、前記第１及び第２クランプによる前記構造体の挟持が解除されて前記ティルター本体が前記第１軸線周りに回動可能になることを特徴とする楽器用ティルター。
【請求項２】
請求項１記載の楽器用ティルターにおいて、
前記ティルター本体及び前記ホルダは、それらの間に複数の摩擦プレートを介装させた状態で組み付けられ、
前記ナットを締め付けると、前記複数の摩擦プレートの間に生じる摩擦が増大して前記ホルダが前記ティルター本体に固定され、
前記ナットを緩めると、前記複数の摩擦プレートの間に生じる摩擦が減少して前記ホルダが前記２軸線周りに回動可能になることを特徴とする楽器用ティルター。
【請求項３】
請求項１又は２記載の楽器用ティルターにおいて、
前記ボルトは、前記ロッドが挿通されるリング部を有し、
前記ホルダは、前記リング部と対応する位置に前記ロッドを保持する保持部を有し、
前記ナットを締め付けると、前記リング部により前記ロッドが前記保持部に押圧されて前記ロッドが前記ホルダに固定され、
前記ナットを緩めると、前記リング部による前記ロッドの押圧が解除されて前記ロッドが前記第３軸線周りに回動可能にかつ前記第３軸線に沿って摺動可能になることを特徴とする楽器用ティルター。
【請求項４】
請求項１〜３のうちいずれか一項に記載の楽器用ティルターにおいて、
前記ロッドは、長尺状のブームからなり、
前記ブームの先端には、前記楽器用ティルターとは別のティルターが取り付けられていることを特徴とする楽器用ティルター。
【請求項５】
請求項４記載の楽器用ティルターにおいて、
前記別のティルターは、
前記ブームの先端に取り付けられる第２ティルター本体と、
前記第２ティルター本体に組み付けられ、第２ロッドを保持する第２ホルダとを備え、
前記第２ホルダは、前記ブームの軸線と直交する第４軸線周りに回動可能に組み付けられ、
前記第２ホルダは、前記第２ロッドを、前記第２ロッドの軸線である第５軸線周りに回動可能にかつ前記第５軸線に沿って摺動可能に保持することを特徴とする楽器用ティルター。
【請求項６】
シンバルスタンドであって、
スタンドと、
前記スタンドの上端に取り付けられた楽器用ティルターと、
前記楽器用ティルターに保持され、シンバルが取り付けられるロッドとを備え、
前記楽器用ティルターは、
ティルター本体と、
前記ティルター本体に組み付けられ、前記ロッドを保持するホルダと、
前記ホルダに前記ロッドを保持する保持部材とを備え、
前記ティルター本体は、第１軸線に沿って延びる構造体に取り付けられると共に、前記第１軸線周りに回動可能に構成され、
前記ホルダは、前記第１軸線と直交する第２軸線周りに回動可能に組み付けられ、
前記ホルダは、前記ロッドを、前記ロッドの軸線である第３軸線周りに回動可能にかつ前記第３軸線に沿って摺動可能に保持し、
前記保持部材により、前記ホルダが前記ティルター本体に組み付けられると共に、前記ティルター本体が前記構造体に取り付けられ、
前記保持部材は、ボルトと、前記ボルトに螺着されたナットとからなり、
前記ティルター本体は、第１クランプと、前記第１クランプに連結される第２クランプとを備え、
前記第１及び第２クランプには、前記ボルトの軸部が挿通される挿通孔が設けられ、
前記ナットを締め付けると、前記第１及び第２クランプにより前記構造体が挟持されて前記ティルター本体が前記構造体に固定され、
前記ナットを緩めると、前記第１及び第２クランプによる前記構造体の挟持が解除されて前記ティルター本体が前記第１軸線周りに回動可能になることを特徴とするシンバルスタンド。
【請求項７】
楽器用ティルターであって、
ティルター本体と、
前記ティルター本体に組み付けられ、ロッドを保持するホルダと、
前記ホルダに前記ロッドを保持する保持部材とを備え、
前記ティルター本体は、第１軸線に沿って延びる構造体に取り付けられると共に、前記第１軸線周りに回動可能に構成され、
前記ホルダは、前記第１軸線と直交する第２軸線周りに回動可能に組み付けられ、
前記ホルダは、前記ロッドを、前記ロッドの軸線である第３軸線周りに回動可能にかつ前記第３軸線に沿って摺動可能に保持し、
前記保持部材により、前記ホルダが前記ティルター本体に組み付けられると共に、前記ティルター本体が前記構造体に取り付けられ、
前記保持部材は、少なくともボルトを含み、
前記ティルター本体は、第１クランプと、前記第１クランプに連結される第２クランプとを備え、
前記第１クランプには、前記ボルトの軸部が挿通される挿通孔が設けられ、
前記第２クランプには、前記ボルトの軸部が締め付けられるねじ孔が設けられ、
前記ボルトを前記ねじ孔に締め付けると、前記第１及び第２クランプにより前記構造体が挟持されて前記ティルター本体が前記構造体に固定され、
前記ボルトを緩めると、前記第１及び第２クランプによる前記構造体の挟持が解除されて前記ティルター本体が前記第１軸線周りに回動可能になることを特徴とする楽器用ティルター。
【請求項８】
シンバルスタンドであって、
スタンドと、
前記スタンドの上端に取り付けられた楽器用ティルターと、
前記楽器用ティルターに保持され、シンバルが取り付けられるロッドとを備え、
前記楽器用ティルターは、
ティルター本体と、
前記ティルター本体に組み付けられ、前記ロッドを保持するホルダと、
前記ホルダに前記ロッドを保持する保持部材とを備え、
前記ティルター本体は、第１軸線に沿って延びる構造体に取り付けられると共に、前記第１軸線周りに回動可能に構成され、
前記ホルダは、前記第１軸線と直交する第２軸線周りに回動可能に組み付けられ、
前記ホルダは、前記ロッドを、前記ロッドの軸線である第３軸線周りに回動可能にかつ前記第３軸線に沿って摺動可能に保持し、
前記保持部材により、前記ホルダが前記ティルター本体に組み付けられると共に、前記ティルター本体が前記構造体に取り付けられ、
前記保持部材は、少なくともボルトを含み、
前記ティルター本体は、第１クランプと、前記第１クランプに連結される第２クランプとを備え、
前記第１クランプには、前記ボルトの軸部が挿通される挿通孔が設けられ、
前記第２クランプには、前記ボルトの軸部が締め付けられるねじ孔が設けられ、
前記ボルトを前記ねじ孔に締め付けると、前記第１及び第２クランプにより前記構造体が挟持されて前記ティルター本体が前記構造体に固定され、
前記ボルトを緩めると、前記第１及び第２クランプによる前記構造体の挟持が解除されて前記ティルター本体が前記第１軸線周りに回動可能になることを特徴とするシンバルスタンド。
【発明の詳細な説明】
【技術分野】
【０００１】
本発明は、楽器用ティルター及びシンバルスタンドに関する。
【背景技術】
【０００２】
例えば、特許文献１に開示のティルターは、スタンドに固定される固定部材と、第１ねじにより固定部材に組み付けられる中間部材と、第２ねじにより中間部材に組み付けられる外側部材とを備えている。中間部材及び外側部材には、ブームを挟持するための凹部がそれぞれ形成されている。この文献に開示のティルターによれば、第１ねじを緩めることで、固定部材に対して中間部材及び外側部材が回動可能となり、スタンドの設置面に対するブームの角度が調整される。また、第２ねじを緩めることで、中間部材及び外側部材によるブームの締め付けが解除されるため、ブームをその軸線周りに回動させたり、軸線に沿って摺動させたりすることができる。
【０００３】
特許文献２に開示のティルターは、スタンドに固定される固定部材と、ねじにより固定部材に組み付けられる回動部材と、回動部材内に配置され、リング部を有するねじ部材とを備えている。この文献に開示のティルターによれば、ねじを緩めることで、固定部材に対して回動部材が回動可能となり、ブームの角度が調整される。また、回動部材は、ねじ部材のリング部と対応する位置に、ブームが挿通される挿通孔を有している。ねじ部材に螺着された蝶ナットを締め付けることで、リング部によりブームが回動部材に押圧されて固定される。一方、蝶ナットを緩めることで、ねじ部材によるブームの固定が解除されるため、ブームをその軸線周りに回動させたり、軸線に沿って摺動させたりすることができる。
【０００４】
このように、特許文献１，２に開示のティルターによれば、ねじの軸線周りと、ブームの軸線周りと、ブームの軸線方向とを含む３方向にブームを動かすことができる。このため、シンバルをバスドラムやスネアドラム等と共にセッティングした状態であっても、演奏者は、椅子に腰掛けたままで、ブームを動かしながらシンバルの位置や角度を調整することができる。
【先行技術文献】
【特許文献】
【０００５】
【特許文献１】実開昭６３−１２２３９６号公報
【特許文献２】米国特許第６８３８６０２号明細書
【発明の概要】
【０００６】
しかしながら、上記従来のティルターでは、上述した３方向以外にブームを動かすことができないため、椅子に腰掛けたままでは、ドラムセットのシンバルを所望の位置や角度に調整できないことがある。この場合、演奏者は、椅子から立ち上がって、ドラムよりも遠くに配置されているシンバルスタンドの近くまで行かざるを得なかった。そして、シンバルの位置を調整するため、シンバルスタンドのパイプジョイントを操作して上段パイプを動かしてみたり、シンバルスタンドの設置位置を変更したりしていた。しかしながら、パイプジョイントの操作は、手が届き難い低い場所で行われることが多いため、演奏者にとって煩わしく、面倒な作業であった。また、シンバルスタンドの設置位置を変更する作業は、シンバルスタンドを手で持って動かすことにより行われるため、シンバルスタンドの三脚をドラムの支持脚等に接触させてしまう虞があった。
【発明が解決しようとする課題】
【０００７】
本発明の目的は、楽器の位置や角度を所望の位置や角度に調整することのできる楽器用ティルター及びシンバルスタンドを提供することにある。
【課題を解決するための手段】
【０００８】
上記の目的を達成するために、請求項１に記載の発明は、楽器用ティルターであって、ティルター本体と、ティルター本体に組み付けられ、ロッドを保持するホルダと、ホルダにロッドを保持する保持部材とを備え、ティルター本体は、第１軸線に沿って延びる構造体に取り付けられると共に、第１軸線周りに回動可能に構成され、ホルダは、第１軸線と直交する第２軸線周りに回動可能に組み付けられ、ホルダは、ロッドを、ロッドの軸線である第３軸線周りに回動可能にかつ第３軸線に沿って摺動可能に保持し、保持部材により、ホルダがティルター本体に組み付けられると共に、ティルター本体が構造体に取り付けられ、保持部材は、ボルトと、ボルトに螺着されたナットとからなり、ティルター本体は、第１クランプと、第１クランプに連結される第２クランプとを備え、第１及び第２クランプには、ボルトの軸部が挿通される挿通孔が設けられ、ナットを締め付けると、第１及び第２クランプにより構造体が挟持されてティルター本体が構造体に固定され、ナットを緩めると、第１及び第２クランプによる構造体の挟持が解除されてティルター本体が第１軸線周りに回動可能になることを要旨とする。
【０００９】
この構成によれば、ティルター本体を構造体の第１軸線周りに回動可能に構成することで、従来のティルターと比較して、ロッドの移動可能な方向を１方向増やすことができる。その結果、ロッドを、第１〜第３軸線周りにそれぞれ回動させると共に、第３軸線に沿って摺動させることができる。このため、ロッドを異なる４つの方向にそれぞれ動かしながら、楽器の位置や角度を調整することができる。よって、ロッドの可動範囲が広がるため、楽器の位置や角度を、所望の位置や角度に調整することができる。また、この構成によれば、保持部材が、ホルダに対しロッドを保持する機能と、ティルター本体に対しホルダを組み付ける機能と、構造体に対しティルター本体を取り付ける機能とを備えている。つまり、保持部材は、構造体に対するティルター本体の固定と、ティルター本体に対するホルダの固定と、ホルダに対するロッドの固定とを同時に解除するための構成を有することができる。また、この構成によれば、ナットを締め付けると、第１及び第２クランプにより構造体が挟持されるため、構造体に対してティルター本体を確実に固定することができる。一方、ナットを緩めると、第１及び第２クランプによる構造体の挟持が解除されるため、ティルター本体を第１軸線周りに回動させることができる。
【００１４】
請求項２に記載の発明は、請求項１記載の発明において、ティルター本体及びホルダは、それらの間に複数の摩擦プレートを介装させた状態で組み付けられ、ナットを締め付けると、複数の摩擦プレートの間に生じる摩擦が増大してホルダがティルター本体に固定され、ナットを緩めると、複数の摩擦プレートの間に生じる摩擦が減少してホルダが第２軸線周りに回動可能になることを要旨とする。
【００１５】
この構成によれば、ナットの締め付けに加え、複数の摩擦プレートの間に生じる摩擦を利用することで、ティルター本体に対してホルダを確実に固定することができる。一方、ナットを緩めることで、複数の摩擦プレートの間に生じる摩擦が減少するため、ホルダを第２軸線周りに回動させることができる。また、段階的に角度を調整可能なギヤ式ティルターとは異なり、無段階での角度調整が可能となる。更に摩擦プレートの数を増やすことで、ティルター本体にホルダを固定する力を大きくすることができる。
【００１６】
請求項３に記載の発明は、請求項１又は２記載の発明において、ボルトは、ロッドが挿通されるリング部を有し、ホルダは、リング部と対応する位置にロッドを保持する保持部を有し、ナットを締め付けると、リング部によりロッドが保持部に押圧されてロッドがホルダに固定され、ナットを緩めると、リング部によるロッドの押圧が解除されてロッドが第３軸線周りに回動可能にかつ第３軸線に沿って摺動可能になることを要旨とする。
【００１７】
この構成によれば、ナットを締め付けると、リング部によりロッドがホルダの保持部に押圧されるため、ホルダに対してロッドを確実に固定することができる。一方、ナットを緩めると、リング部によるロッドの押圧が解除されるため、ロッドを第３軸線周りに回動させたり、第３軸線に沿って摺動させたりすることができる。
【００１８】
つまり、ナットを緩めるだけで、ティルター本体を第１軸線周りに回動させること、ホルダを第２軸線周りに回動させること、ロッドを第３軸線周りに回動させたり第３軸線に沿って摺動させたりすることが同時に行える。よって、１箇所操作するだけでロッドを異なる４つの方向に動かすことができるため、楽器の位置や角度を調整する際の操作性が向上する。
【００１９】
請求項４に記載の発明は、請求項１〜３のうちいずれか一項に記載の発明において、ロッドは、長尺状のブームからなり、ブームの先端には、楽器用ティルターとは別のティルターが取り付けられていることを要旨とする。
【００２０】
この構成によれば、楽器用ティルターをブームティルターとして使用することができる。また、構造体に取り付けられたティルターと、ブームの先端に取り付けられた別のティルターとを併用することで、楽器の位置や角度を更に細かく微調整することができる。
【００２１】
請求項５に記載の発明は、請求項４記載の発明において、別のティルターは、ブームの先端に取り付けられる第２ティルター本体と、第２ティルター本体に組み付けられ、第２ロッドを保持する第２ホルダとを備え、第２ホルダは、ブームの軸線と直交する第４軸線周りに回動可能に組み付けられ、第２ホルダは、第２ロッドを、第２ロッドの軸線である第５軸線周りに回動可能にかつ第５軸線に沿って摺動可能に保持することを要旨とする。
【００２２】
この構成によれば、ブームを、第１〜第３軸線周りにそれぞれ回動させかつ第３軸線に沿って摺動させると共に、第２ロッドを、第４〜第５軸線周りにそれぞれ回動させたり、第５軸線に沿って摺動させたりすることができる。つまり、ブームを異なる４つの方向にそれぞれ動かしながら、更に第２ロッドを異なる３つの方向にそれぞれ動かすことにより、楽器の位置や角度を微調整することができる。
【００２３】
請求項６に記載の発明は、シンバルスタンドであって、スタンドと、スタンドの上端に取り付けられた楽器用ティルターと、楽器用ティルターに保持され、シンバルが取り付けられるロッドとを備え、楽器用ティルターは、ティルター本体と、ティルター本体に組み付けられ、ロッドを保持するホルダと、ホルダにロッドを保持する保持部材とを備え、ティルター本体は、第１軸線に沿って延びる構造体に取り付けられると共に、第１軸線周りに回動可能に構成され、ホルダは、第１軸線と直交する第２軸線周りに回動可能に組み付けられ、ホルダは、ロッドを、ロッドの軸線である第３軸線周りに回動可能にかつ第３軸線に沿って摺動可能に保持し、保持部材により、ホルダがティルター本体に組み付けられると共に、ティルター本体が構造体に取り付けられ、保持部材は、ボルトと、ボルトに螺着されたナットとからなり、ティルター本体は、第１クランプと、第１クランプに連結される第２クランプとを備え、第１及び第２クランプには、ボルトの軸部が挿通される挿通孔が設けられ、ナットを締め付けると、第１及び第２クランプにより構造体が挟持されてティルター本体が構造体に固定され、ナットを緩めると、第１及び第２クランプによる構造体の挟持が解除されてティルター本体が第１軸線周りに回動可能になることを要旨とする。
【００２４】
この構成によれば、請求項１と同等の作用効果を奏することができる。
請求項７に記載の発明は、楽器用ティルターであって、ティルター本体と、ティルター本体に組み付けられ、ロッドを保持するホルダと、ホルダにロッドを保持する保持部材とを備え、ティルター本体は、第１軸線に沿って延びる構造体に取り付けられると共に、第１軸線周りに回動可能に構成され、ホルダは、第１軸線と直交する第２軸線周りに回動可能に組み付けられ、ホルダは、ロッドを、ロッドの軸線である第３軸線周りに回動可能にかつ第３軸線に沿って摺動可能に保持し、保持部材により、ホルダがティルター本体に組み付けられると共に、ティルター本体が構造体に取り付けられ、保持部材は、少なくともボルトを含み、ティルター本体は、第１クランプと、第１クランプに連結される第２クランプとを備え、第１クランプには、ボルトの軸部が挿通される挿通孔が設けられ、第２クランプには、ボルトの軸部が締め付けられるねじ孔が設けられ、ボルトをねじ孔に締め付けると、第１及び第２クランプにより構造体が挟持されてティルター本体が構造体に固定され、ボルトを緩めると、第１及び第２クランプによる構造体の挟持が解除されてティルター本体が第１軸線周りに回動可能になることを要旨とする。
この構成によれば、請求項１と同等の作用効果を奏することができる。
請求項８に記載の発明は、シンバルスタンドであって、スタンドと、スタンドの上端に取り付けられた楽器用ティルターと、楽器用ティルターに保持され、シンバルが取り付けられるロッドとを備え、楽器用ティルターは、ティルター本体と、ティルター本体に組み付けられ、ロッドを保持するホルダと、ホルダにロッドを保持する保持部材とを備え、ティルター本体は、第１軸線に沿って延びる構造体に取り付けられると共に、第１軸線周りに回動可能に構成され、ホルダは、第１軸線と直交する第２軸線周りに回動可能に組み付けられ、ホルダは、ロッドを、ロッドの軸線である第３軸線周りに回動可能にかつ前記第３軸線に沿って摺動可能に保持し、保持部材により、ホルダがティルター本体に組み付けられると共に、ティルター本体が構造体に取り付けられ、保持部材は、少なくともボルトを含み、ティルター本体は、第１クランプと、第１クランプに連結される第２クランプとを備え、第１クランプには、ボルトの軸部が挿通される挿通孔が設けられ、第２クランプには、ボルトの軸部が締め付けられるねじ孔が設けられ、ボルトをねじ孔に締め付けると、第１及び第２クランプにより構造体が挟持されてティルター本体が構造体に固定され、ボルトを緩めると、第１及び第２クランプによる構造体の挟持が解除されてティルター本体が第１軸線周りに回動可能になることを要旨とする。
この構成によれば、請求項１と同等の作用効果を奏することができる。
【発明の効果】
【００２５】
本発明によれば、楽器の位置や角度を、所望の位置や角度に調整することができる。
【図面の簡単な説明】
【００２６】
【図１】本発明のブームティルターが取り付けられたシンバルスタンドの斜視図。
【図２】ブームティルターの分解斜視図。
【図３】ブームティルターの部分側面図。
【図４】図３の４−４線に沿った断面図。
【図５】ブームと保持孔との位置関係を示す模式断面図。
【図６】シンバルティルターの分解斜視図。
【図７】シンバルティルターの断面図。
【図８】Ｌ型ロッドと保持孔との位置関係を示す模式断面図。
【図９】シンバルティルター及びシンバルホルダ周辺の部分断面図。
【発明を実施するための形態】
【００２７】
以下、本発明に係る楽器用ティルターをブームティルターに具体化した一実施形態について、図１〜図９を参照して説明する。
図１に示すように、シンバルスタンド１０は、スタンド１２と、スタンド１２の上端に取り付けられたブームティルター１３と、ブームティルター１３とは別のシンバルティルター１５と、シンバルが取り付けられるシンバルホルダ１６とを備えている。スタンド１２は、三脚２０と、三脚２０の中央から上方に延びる支柱２１とを備えている。支柱２１は、径の異なる３本のパイプと、径の異なる２本のパイプを固定する２つのパイプジョイント２２とを備えている。３本のパイプのうち最も上方に位置する上パイプ２３と中央に位置する中央パイプ２４とには、別のパイプとの固定位置を記憶するため、メモリロック２５，２６がそれぞれ装着されている。
【００２８】
図２に示すように、上パイプ２３の下端には、筒状のゴム部材２７が挿入されている。また、ゴム部材２７の内側には、テーパ状の外周面を有するストッパ２８が挿入されている。ゴム部材２７は、ストッパ２８によって上パイプ２３の下端に固定されている。また、上パイプ２３の上端には、ピン２９により、略円柱状の支持具３０が固定されている。支持具３０は、上パイプ２３の上開口端に取り付けられる下部３０ａと、ブームティルター１３が取り付けられる円柱状の上部３０ｂとを備えている。支柱２１及び支持具３０は、第１軸線に沿って延びる構造体に相当する。
【００２９】
図１及び図２に示すように、ブームティルター１３は、ティルター本体３１と、ロッドとしての長尺状のブーム３２と、ブーム３２を保持するホルダ３３と、保持部材としてのボルト３４及びナット３５とを備えている。ボルト３４は、先端に雄ねじを有する軸部３４ａと、リング部３４ｂからなる頭部とを有している。ボルト３４及びナット３５により、ブーム３２がホルダ３３に保持され、ホルダ３３がティルター本体３１に組み付けられると共に、ティルター本体３１が支持具３０に取り付けられる。
【００３０】
図１のＲ１に示すように、ティルター本体３１は、支柱２１及び支持具３０に対して、第１軸線周りに回動可能に取り付けられている。図１のＲ２に示すように、ホルダ３３は、ティルター本体３１に対して、第１軸線と直交する第２軸線周りに回動可能に組み付けられている。図１のＲ３に示すように、ブーム３２は、ホルダ３３により、ブーム３２の軸線である第３軸線周りに回動可能に保持されている。また、図１のＲ４に示すように、ブーム３２は、ホルダ３３により、第３軸線に沿って摺動可能に保持されている。
【００３１】
図２に示すように、ティルター本体３１は、金属製の第１及び第２クランプ３６，３７と、樹脂製の上リング３８及び下リング３９とを備えている。第１クランプ３６は、下リング３９の外周面が嵌合される円筒状の基部３６ａと、上リング３８の外周面が嵌合されるリング部３６ｂと、第２クランプ３７が連結されるクランプ部３６ｃとを備えている。
【００３２】
図３及び図４に示すように、クランプ部３６ｃの側部には、第２クランプ３７の基端が連結される連結部３６ｅが形成されている。第２クランプ３７は、連結ピン４０を介し、連結部３６ｅに対して回転可能に連結されている。クランプ部３６ｃの中央には、第２クランプ３７の先端に面する突部３６ｆが形成されている。
【００３３】
突部３６ｆ及び第２クランプ３７の先端には、ボルト３４が挿通される挿通孔３６ｇ，３７ｇがそれぞれ形成されている。挿通孔３６ｇ，３７ｇに挿通されたボルト３４にナット３５を締め付けることで、第２クランプ３７の先端が突部３６ｆに固定される。これにより、第１クランプ３６及び第２クランプ３７が支持具３０の上部３０ｂを挟持するため、ティルター本体３１は、支柱２１及び支持具３０に対して動かないように保持される。こうして、ティルター本体３１が支柱２１に固定される。一方、ナット３５を緩めることで、第１及び第２クランプ３６，３７による挟持が解除されるため、ティルター本体３１は、支柱２１の軸線である第１軸線Ｃ１周りに回動可能となる。
【００３４】
図２〜図４に示すように、第１クランプ３６は、第２クランプ３７と反対側に、ホルダ３３の一部を収容する凹部３６ｄを有している。ホルダ３３は、ブーム３２を保持する保持体３３ａと、第１クランプ３６の凹部３６ｄに配置される基部３３ｂ及び筒体３３ｃとを備えている。筒体３３ｃは、ホルダ３３の中央から突出しかつ略十字状に形成されている。また、ホルダ３３は、ブーム３２を保持する保持孔３３ｄと、ボルト３４のリング部３４ｂが配置される配置孔３３ｅと、ボルト３４の軸部３４ａが挿通される挿通孔３３ｆとを有している。配置孔３３ｅ、挿通孔３３ｆ及び保持孔３３ｄは、ホルダ３３の略中央で互いに連通している。
【００３５】
ホルダ３３は、基部３３ｂと第１クランプ３６との間に８枚の摩擦プレートを介装させた状態で、ティルター本体３１に組み付けられている。８枚の摩擦プレートは、取付片４１ａを有する４枚の摩擦プレート４１と、取付片４１ａを有しない４枚の摩擦プレート４２とからなる。取付片４１ａには、ねじ４３が挿通される挿通孔４１ｂが形成されている。第１摩擦プレート４１は、円形状の中央孔４１ｃを有している。第２摩擦プレート４２は、略十字状の中央孔４２ｃを有している。
【００３６】
第１摩擦プレート４１は、基部３３ｂと第１クランプ３６との間で、第２摩擦プレート４２と交互に配置されている。第１及び第２摩擦プレート４１，４２は、中央孔４１ｃ，４２ｃにホルダ３３の筒体３３ｃを挿入させた状態で互いに密着している。第１摩擦プレート４１は、Ｌ字型の支持片４４とねじ４３とによって、第１クランプ３６の連結部３６ｅ付近に固定されている。第２摩擦プレート４２は、筒体３３ｃに対して回動しないように嵌合されている。
【００３７】
ボルト３４は、ホルダ３３の配置孔３３ｅ及び挿通孔３３ｆ、第１及び第２摩擦プレート４１，４２の中央孔４１ｃ，４２ｃの順に通過してから、第１及び第２クランプ３６，３７の挿通孔３６ｇ，３７ｇに挿通されて、ナット３５に螺着されている。この状態でナット３５を締め付けることで、第１及び第２摩擦プレート４１，４２間に生じる摩擦が増大して、ホルダ３３がティルター本体３１に対して回動しないように保持される。こうして、ホルダ３３がティルター本体３１に固定される。この場合、図５に示すように、ボルト３４のリング部３４ｂによりブーム３２が保持孔３３ｄの内周面に押圧されるため、ブーム３２がホルダ３３に固定される。保持部としての保持孔３３ｄは、断面略扇形を有している。このため、ブーム３２は、ホルダ３３に固定された状態で、ブーム３２の軸線に沿って、保持孔３３ｄの上内周面と下内周面とにそれぞれ線接触している。
【００３８】
一方、ナット３５を緩めることで、第１及び第２摩擦プレート４１，４２間に生じる摩擦が減少するため、ホルダ３３がティルター本体３１に対して第２軸線Ｃ２周りに回動可能になる。また、この場合、図４の実線で示すように、リング部３４ｂによるブーム３２の押圧が解除されるため、ブーム３２は、ホルダ３３に対して第３軸線Ｃ３周りに回動可能になる。また、ブーム３２は、ホルダ３３に対して第３軸線Ｃ３に沿って摺動可能にもなる。
【００３９】
また、ナット３５を緩めたときに第１及び第２摩擦プレート４１，４２がホルダ３３から抜けることを防止するため、筒体３３ｃの内周面に雌ねじが形成されると共に、筒体３３ｃの雌ねじに筒状のプレートストッパ４６が固定されている。プレートストッパ４６は、筒体３３ｃの端面に当接される頭部４６ａと、筒体３３ｃの雌ねじに螺合されるねじ部４６ｂとを有している。プレートストッパ４６の中央には、ボルト３４の軸部３４ａが挿通されている。
【００４０】
図１及び図６に示すように、ブーム３２には、ホルダ３３との固定位置を記憶するため、メモリロック４５が装着されている。ブーム３２の先端には、シンバルホルダ１６と共に、シンバルティルター１５が取り付けられている。シンバルティルター１５は、ブーム３２の先端に嵌合される第２ティルター本体５１と、第２ロッドとしてのＬ型ロッド５２と、Ｌ型ロッド５２を保持する第２ホルダ５３と、保持部材としてのボルト５４及びナット５５とを備えている。ボルト５４は、先端に雄ねじを有する軸部５４ａと、リング部５４ｂからなる頭部とを有している。
【００４１】
ボルト５４及びナット５５により、Ｌ型ロッド５２が第２ホルダ５３に保持され、第２ホルダ５３が第２ティルター本体５１に組み付けられる。図１のＲ５に示すように、第２ホルダ５３は、第２ティルター本体５１に対して、ブーム３２の軸線と直交する第４軸線周りに回動可能に組み付けられている。図１のＲ６に示すように、Ｌ型ロッド５２は、第２ホルダ５３により、Ｌ型ロッド５２の軸線である第５軸線周りに回動可能に保持されている。また、図１のＲ７に示すように、Ｌ型ロッド５２は、第２ホルダ５３により、第５軸線に沿って摺動可能に保持されている。
【００４２】
図６及び図７に示すように、第２ティルター本体５１は、ブーム３２の先端に固定される固定部５１ｃと、第２ホルダ５３が組み付けられる有底筒部５１ｄとを有している。有底筒部５１ｄの中央には、ボルト５４の軸部５４ａが挿通される挿通孔５１ａが形成されている。第２ティルター本体５１は、第２ホルダ５３に面する側に、第２ホルダ５３の一部を収容する凹部５１ｂを有している。
【００４３】
第２ホルダ５３は、Ｌ型ロッド５２を保持する保持体５３ａと、第２ティルター本体５１の凹部５１ｂに配置される基部５３ｂ及び筒体５３ｃとを備えている。筒体５３ｃは、ホルダ５３の中央から突出しかつ略十字状に形成されている。また、第２ホルダ５３は、Ｌ型ロッド５２を保持する保持孔５３ｄと、ボルト５４のリング部５４ｂが配置される配置孔５３ｅと、ボルト５４の軸部５４ａが挿通される挿通孔５３ｆとを有している。配置孔５３ｅ、挿通孔５３ｆ及び保持孔５３ｄは、第２ホルダ５３の略中央で互いに連通している。配置孔５３ｅと保持孔５３ｄとの境界には、段差５３ｇが形成されている。
【００４４】
Ｌ型ロッド５２の基端は、第２ホルダ５３の保持孔５３ｄから突出している。Ｌ型ロッド５２の基端には、Ｌ型ロッド５２の径よりも大きい頭部５６ａを有するボルト５６が螺着されている。頭部５６ａが段差５３ｇに当接されることで、第２ホルダ５３からのＬ型ロッド５２の脱落が防止される。
【００４５】
第２ホルダ５３は、基部５３ｂと第２ティルター本体５１との間に６枚の摩擦プレートを介装させた状態で、第２ティルター本体５１に組み付けられている。摩擦プレートは、取付片５８ａを有する３枚の摩擦プレート５８と、取付片５８ａを有しない３枚の摩擦プレート５９とからなる。第１摩擦プレート５８は、円形状の中央孔５８ｃを有している。第２摩擦プレート５９は、略十字状の中央孔５９ｃを有している。
【００４６】
第１摩擦プレート５８は、基部５３ｂと第２ティルター本体５１との間で、第２摩擦プレート５９と交互に配置されている。第１及び第２摩擦プレート５８，５９は、それらの中央孔５８ｃ，５９ｃに第２ホルダ５３の筒体５３ｃを挿入させた状態で互いに密着している。第１摩擦プレート５８は、Ｌ字型の支持片５７とねじ６０とによって、第２ティルター本体５１に固定されている。第２摩擦プレート５９は、筒体５３ｃに対して回動しないように嵌合されている。
【００４７】
ボルト５４は、第２ホルダ５３の配置孔５３ｅ及び挿通孔５３ｆ、第１及び第２摩擦プレート５８，５９の中央孔５８ｃ，５９ｃの順に通過してから、第２ティルター本体５１の挿通孔５１ａに挿通されて、ナット５５に螺着されている。この状態でナット５５を締め付けることで、第１及び第２摩擦プレート５８，５９間に生じる摩擦が増大して、第２ホルダ５３が第２ティルター本体５１に対して回動しないように保持される。こうして、第２ホルダ５３が第２ティルター本体５１に固定される。また、この場合、図８に示すように、ボルト５４のリング部５４ｂによりＬ型ロッド５２が保持孔５３ｄの内周面に押圧されるため、Ｌ型ロッド５２が第２ホルダ５３に固定される。保持部としての保持孔５３ｄは、断面略扇形を有している。このため、Ｌ型ロッド５２は、第２ホルダ５３に固定された状態で、Ｌ型ロッド５２の横方向に延びる軸線に沿って、保持孔５３ｄの上内周面と下内周面とにそれぞれ線接触している。
【００４８】
一方、ナット５５を緩めることで、第１及び第２摩擦プレート５８，５９間に生じる摩擦が減少するため、第２ホルダ５３が第２ティルター本体５１に対して第４軸線Ｃ４周りに回動可能になる。また、この場合、図７の実線で示すように、リング部５４ｂによるＬ型ロッド５２の押圧が解除されるため、Ｌ型ロッド５２は、第２ホルダ５３に対して第５軸線Ｃ５周りに回動可能になる。また、Ｌ型ロッド５２は、第２ホルダ５３に対して第５軸線Ｃ５に沿って摺動可能にもなる。
【００４９】
ナット５５を緩めたときに第１及び第２摩擦プレート５８，５９が第２ホルダ５３から抜けることを防止するため、筒体５３ｃの内周面に雌ねじが形成されると共に、筒体５３ｃの雌ねじに筒状のプレートストッパ５０が固定されている。プレートストッパ５０は、筒体５３ｃの端面に当接される頭部５０ａと、筒体５３ｃの雌ねじに螺合されるねじ部５０ｂとを有している。プレートストッパ５０の中央には、ボルト５４の軸部５４ａが挿通されている。
【００５０】
図６及び図９に示すように、Ｌ型ロッド５２の先端には、シンバルホルダ１６を構成する留具６１、フェルト製の上下一対の緩衝部材６２，６３、及びリテーナ６４等が取り付けられている。リテーナ６４は、シンバルホルダ１６を構成する部品のうち最も下方の位置で、Ｌ型ロッド５２に固定されている。Ｌ型ロッド５２におけるリテーナ６４の上方には、筒状のガイド部材６６が装着されている。ガイド部材６６は、ウレタンゴム等の弾性材料からなる。ガイド部材６６には、上下一対の緩衝部材６２，６３が装着されている。
【００５１】
緩衝部材６２，６３は、中央孔６２ｃ，６３ｃを有する円板部６２ａ，６３ａと、円板部６２ａ，６３ａに固着された環状部６２ｂ，６３ｂとからなる。環状部６２ｂ，６３ｂは、シンバルと接触する部分であるため、耐磨耗性を考慮して比較的硬いフェルト材により形成されている。環状部６２ｂ，６３ｂは、シンバルとの接触面積を小さくするため、円板部６２ａ，６３ａの中央孔６２ｃ，６３ｃよりも大きい内径を有している。
円板部６２ａ，６３ａは、シンバルの振動吸収を考慮して、比較的軟らかいフェルト材により形成されている。
【００５２】
緩衝部材６２，６３は、環状部６２ｂ，６３ｂによりシンバルを挟持する位置に配置されている。Ｌ型ロッド５２における緩衝部材６２の上方には、留具６１が配置されている。留具６１は、Ｌ型ロッド５２の先端に形成された雄ねじ５２ａに螺着されている。留具６１の一部は、緩衝部材６２の中央孔６２ｃに挿入されている。
【００５３】
次に、上記のブームティルター１３の作用について説明する。
図１及び図４に示すように、ブームティルター１３のナット３５を緩めることで、第１及び第２クランプ３６，３７による支持具３０の挟持が解除される。このため、ティルター本体３１は、支柱２１の軸線である第１軸線Ｃ１周りに回動可能となる。同時に、図４の実線で示すように、リング部３４ｂによるブーム３２の押圧が解除されるため、ブーム３２は、ホルダ３３に対して第３軸線Ｃ３周りに回動可能になる。また、ブーム３２は、ホルダ３３に対して第３軸線Ｃ３に沿って摺動可能にもなる。このように、ティルター本体３１を支柱２１の第１軸線Ｃ１周りに回動可能に構成したことで、従来のティルターと比較して、ブーム３２の移動可能な方向を１方向増やすことができる。その結果、ブーム３２を、第１〜第３軸線周りにそれぞれ回動させると共に、第３軸線に沿って摺動させることが可能となる。
【００５４】
図１及び図７に示すように、シンバルスタンド１０は、更に、ブームティルター１３とは別のシンバルティルター１５を備えている。シンバルティルター１５のナット５５を緩めることで、第２ホルダ５３が第２ティルター本体５１に対して第４軸線Ｃ４周りに回動可能になる。同時に、図７の実線で示すように、リング部５４ｂによるＬ型ロッド５２の押圧が解除されるため、Ｌ型ロッド５２は、第２ホルダ５３に対して第５軸線Ｃ５周りに回動可能になる。また、Ｌ型ロッド５２は、第２ホルダ５３に対して第５軸線Ｃ５に沿って摺動可能にもなる。
【００５５】
本実施形態によれば、ブーム３２を、第１〜第３軸線周りにそれぞれ回動させかつ第３軸線に沿って摺動させると共に、Ｌ型ロッド５２を、第４〜第５軸線周りにそれぞれ回動させかつ第５軸線に沿って摺動させたりすることができる。このように、ブーム３２を異なる４つの方向にそれぞれ動かしながら、更に、Ｌ型ロッド５２を異なる３つの方向にそれぞれ動かすことができる。このため、シンバルがシンバルスタンド１０に取着されている状態で、シンバルの可動範囲を従来よりも広げることができる。よって、演奏者は、椅子に腰掛けたままでも、ブーム３２とＬ型ロッド５２を動かしながら、ドラムセットのシンバルの位置や角度を、所望の位置や角度に調整することができる。
【００５６】
従って、本実施形態によれば、以下のような効果を得ることができる。
（１）ティルター本体３１は、支柱２１に対して、支柱２１の軸線である第１軸線Ｃ１周りに回動可能に取り付けられている。ホルダ３３は、ティルター本体３１に対して、第１軸線と直交する第２軸線Ｃ２周りに回動可能に組み付けられている。ブーム３２は、ホルダ３３により、ブーム３２の軸線である第３軸線Ｃ３周りに回動可能にかつ第３軸線Ｃ３に沿って摺動可能に保持されている。本実施形態によれば、ティルター本体３１を支柱２１の第１軸線Ｃ１周りに回動可能に構成することで、従来のティルターと比較して、ブーム３２の移動可能な方向を１方向増やすことができる。その結果、ブーム３２を、第１軸線Ｃ１〜第３軸線Ｃ３周りにそれぞれ回動させると共に、第３軸線Ｃ３に沿って摺動させることができる。このため、ブーム３２を異なる４つの方向にそれぞれ動かしながら、シンバルの位置や角度を調整することができる。よって、ブーム３２の可動範囲が広がるため、シンバルを所望の位置や角度に調整することができる。
【００５７】
（２）ボルト３４及びナット３５により、ブーム３２がホルダ３３に保持され、ホルダ３３がティルター本体３１に組み付けられると共に、ティルター本体３１が支持具３０に取り付けられる。この構成によれば、ボルト３４及びナット３５が、ホルダ３３に対しブーム３２を保持する機能と、ティルター本体３１に対しホルダ３３を組み付ける機能と、支柱２１に対しティルター本体３１を取り付ける機能とを備えている。つまり、ボルト３４及びナット３５は、支柱２１に対するティルター本体３１の固定と、ティルター本体３１に対するホルダ３３の固定と、ホルダ３３に対するブーム３２の固定とを同時に解除するための構成を有することができる。
【００５８】
（３）ナット３５を締め付けることで、第１クランプ３６及び第２クランプ３７が支持具３０の上部３０ｂを挟持するため、ティルター本体３１が支柱２１に対して確実に固定される。ナット３５を緩めることで、第１及び第２クランプ３６，３７による支持具３０の挟持が解除されるため、ティルター本体３１を、支柱２１の第１軸線Ｃ１周りに回動させることができる。
【００５９】
（４）ナット３５を締め付けることで、第１及び第２摩擦プレート４１，４２間に生じる摩擦が増大するため、ティルター本体３１に対してホルダ３３を確実に固定することができる。ナット３５を緩めることで、第１及び第２摩擦プレート４１，４２間に生じる摩擦が減少するため、ティルター本体３１に対してホルダ３３を第２軸線Ｃ２周りに回動させることができる。
【００６０】
また、ブームティルター１３によれば、段階的に角度を調整可能なギヤ式ティルターとは異なり、無段階で角度を調整することができる。更に、第１及び第２摩擦プレート４１，４２の数を増やすことで、ティルター本体３１にホルダ３３を固定する力を大きくすることができる。シンバルティルター１５においても、ブームティルター１３と同等の作用効果を奏することができる。
【００６１】
（５）ナット３５を締め付けることで、ボルト３４のリング部３４ｂによりブーム３２が保持孔３３ｄの内周面に押圧されるため、ホルダ３３に対してブーム３２を確実に固定することができる。ナット３５を緩めることで、リング部３４ｂによるブーム３２の押圧が解除されるため、ホルダ３３に対して、ブーム３２を第３軸線Ｃ３周りに回動させたり、第３軸線Ｃ３に沿って摺動させたりすることができる。よって、上記（３）（４）の効果を考慮すれば、ナット３５を緩めるだけで、ティルター本体３１を第１軸線Ｃ１周りに回動させること、ホルダ３３を第２軸線Ｃ２周りに回動させること、ブーム３２を第３軸線Ｃ３周りに回動させたり第３軸線Ｃ３に沿って摺動させたりすることが同時に行える。よって、１箇所操作するだけで、ブーム３２を異なる４つの方向に動かすことができる。従って、シンバルの位置や角度を調整する際の操作性が向上する。
【００６２】
（６）シンバルスタンド１０は、スタンド１２の上端に取り付けられたブームティルター１３と、ブーム３２の先端に取り付けられたシンバルティルター１５とを備えている。この構成によれば、ブームティルター１３とシンバルティルター１５とを併用することで、シンバルの位置や角度を更に細かく微調整することができる。
【００６３】
（７）第２ホルダ５３は、第２ティルター本体５１に対して、ブーム３２の軸線と直交する第４軸線周りに回動可能に組み付けられている。また、Ｌ型ロッド５２は、第２ホルダ５３により、Ｌ型ロッド５２の軸線である第５軸線周りに回動可能にかつ第５軸線に沿って摺動可能に保持されている。この構成によれば、ブーム３２を、第１〜第３軸線周りにそれぞれ回動させかつ第３軸線に沿って摺動させると共に、Ｌ型ロッド５２を、第４〜第５軸線周りにそれぞれ回動させたり、第５軸線に沿って摺動させたりすることができる。つまり、ブーム３２を異なる４つの方向にそれぞれ動かしながら、更にＬ型ロッド５２を異なる３つの方向にそれぞれ動かすことにより、シンバルの位置や角度を微調整することができる。
【００６４】
（８）ブームティルター１３において、筒体３３ｃの内周面に雌ねじが形成されると共に、筒体３３ｃの雌ねじに筒状のプレートストッパ４６が固定されている。この構成によれば、ナット３５を緩めた場合、プレートストッパ４６のねじ部４６ｂが筒体３３ｃの雌ねじに螺合しているため、ホルダ３３から第１及び第２摩擦プレート４１，４２が抜けることを防止できる。また、シンバルティルター１５においても、筒体５３ｃの内周面に雌ねじが形成されると共に、筒体５３ｃの雌ねじに筒状のプレートストッパ５０が固定されている。このため、ナット５５を緩めた場合、プレートストッパ５０のねじ部５０ｂが筒体５３ｃの雌ねじに螺合しているため、第２ホルダ５３から第１及び第２摩擦プレート５８，５９が抜けることも防止できる。
【００６５】
なお、本実施形態は、以下のように変更してもよい。
・本実施形態において、上パイプ２３の上端に略円柱状の支持具３０を固定し、支持具３０の上部３０ｂにブームティルター１３を取り付けた。これに代えて、ブームティルター１３を、上パイプ２３の上端に直接取り付けてもよい。
【００６６】
・本実施形態において、ボルト３４にナット３５を締め付けて、ティルター本体３１を支柱２１に固定した。これに代えて、第２クランプ３７の挿通孔３７ｇをねじ孔に変更し、ボルト３４を第２クランプ３７のねじ孔に締め付けて、ティルター本体３１を支柱２１に固定してもよい。同様に、シンバルティルター１５においても、第２ティルター本体５１の挿通孔５３ｆをねじ孔に変更し、ボルト５４をねじ孔に締め付けて、第２ホルダ５３を第２ティルター本体５１に固定してもよい。
【００６７】
・本実施形態において、ブームティルター１３及びシンバルティルター１５を、ギヤ式ティルターに変更してもよい。
・本実施形態において、ブーム３２に代えてＬ型ロッド５２をホルダ３３に固定し、ブームティルター１３をシンバルティルターとして使用してもよい。
【００６８】
・本実施形態において、ブーム３２及びＬ型ロッド５２を保持する保持部は、保持孔３３ｄ，５３ｄであったが、ブーム３２及びＬ型ロッド５２の外周面と一致するＵ字型の凹部であってもよい。
【００６９】
・本実施形態において、楽器用ティルターをシンバルスタンドのティルターに適用したが、ドラムスタンドのティルターに適用してもよい。
【符号の説明】
【００７０】
Ｃ１…第１軸線、Ｃ２…第２軸線、Ｃ３…第３軸線、Ｃ４…第４軸線、Ｃ５…第５軸線、１０…シンバルスタンド、１２…スタンド、１３…ブームティルター（楽器用ティルター）、１５…シンバルティルター（別のティルター）、２１…支柱（構造体）、３０…支持具（構造体）、３１…ティルター本体、３２…ブーム（ロッド）、３３…ホルダ、３３ｄ…保持孔（保持部）、３４…ボルト（保持部材）、３４ａ…軸部、３４ｂ…リング部、３５…ナット（保持部材）、３６…第１クランプ、３６ｇ…挿通孔、３７…第２クランプ、３７ｇ…挿通孔、４１…第１摩擦プレート、４２…第２摩擦プレート、５１…第２ティルター本体、５２…Ｌ型ロッド（第２ロッド）、５３…第２ホルダ。
【図１】
0005993885.tif 000002
【図２】
0005993885.tif 000003
【図３】
0005993885.tif 000004
【図４】
0005993885.tif 000005
【図５】
0005993885.tif 000006
【図６】
0005993885.tif 000007
【図７】
0005993885.tif 000008
【図８】
0005993885.tif 000009
【図９】
0005993885.tif 000010